(57)【特許請求の範囲】
【請求項１】
異なった温度領域で異なった色で発色する発色層を積層されるように構成された乗車券に記録された予め券面に印刷されている印字色に関する情報を含む磁気情報を読取る読取り手段と、
この読取り手段により読取られた磁気情報より乗車券が有効かを判定する判定手段と、
この判定手段により乗車券が有効であると判定された場合には、改札処理を行なう処理手段と、
上記判定手段により乗車券が無効であると判定された場合には、上記読取り手段で読取った磁気情報の印字色に関する情報をもとに上記乗車券に予め券面に印刷されている印刷色とは異なった色で乗車券が無効であることを示すエラー内容を印刷する印刷制御手段とを具備したことを特徴とする自動改札装置。
【請求項２】
異なった温度領域で異なった色で発色する発色層を積層されるように構成された乗車券に記録された予め券面に印刷されている印字色に関する情報を含む磁気情報を読取る読取り手段と、
この読取り手段により読取られた磁気情報より乗車券が有効かを判定する第１の判定手段と、
上記読取り手段による磁気情報の読取りが正常に行なわれたかを判定する第２の判定手段と、
上記第１の判定手段により乗車券が有効であると判定された場合には、改札処理を行なう処理手段と、
上記第２の判定手段により磁気情報の読取りが正常に行なわれていないと判定された場合には、上記乗車券に予め券面に印刷されている印刷色とは異なった色で磁気情報の読取りが不良であることを示すエラー内容を印刷する印刷制御手段とを具備したことを特徴とする自動改札装置。
【請求項３】
異なった温度領域で異なった色で発色する発色層を積層されるように構成された乗車券に記録された予め券面に印刷されている印字色に関する情報を含む磁気情報を読取る読取り手段と、
この読取り手段により読取られた磁気情報より乗車券が有効かを判定する第１の判定手段と、
上記読取り手段による磁気情報の読取りが正常に行なわれたかを判定する第２の判定手段と、
上記第１の判定手段により乗車券が有効であると判定された場合には、改札処理を行なう処理手段と、
上記第１の判定手段により乗車券が無効であると判定された場合には、上記読取り手段で読取った磁気情報の印字色に関する情報をもとに上記乗車券に券面の印刷色とは異なった色で乗車券が無効であることを示すエラー内容を印刷し、第２の判定手段により磁気情報の読取りが正常に行なわれていないと判定された場合には、上記乗車券に予め券面に印刷された印刷色とは異なった色で磁気情報の読取りが不良であることを示すエラーコードを印刷する印刷制御手段とを具備したことを特徴とする自動改札装置。
【請求項４】
上記印刷制御手段は、サーマルヘッドに印刷する印字パルスの幅を制御することにより、上記乗車券の特定の発色層を発色させるように制御していることを特徴とする請求項１乃至請求項３のいずれか記載の自動改札装置。
【発明の詳細な説明】
【０００１】
【産業上の利用分野】
本発明は自動改札装置で区間外等のエラ−が生じた場合には、切符券面に別の色でその旨を印字するようにした自動改札装置に関する。
【０００２】
【従来の技術】
近年、たとえば鉄道関係において、改札の省力化を目的として、鉄道等の施設の入場口あるいは出場口等に設けられ、施設を利用する利用者が施設に入場あるいは出場する際または施設の乗換えを行う際、利用者が携行する乗車券を取り込んで検査し、乗車券が適当であれば利用者の通過を許可し、不適であれば利用者の通過を阻止する自動改札装置が導入されている。
【０００３】
この自動改札装置は、入場、出場あるいは乗換えの際に利用者により投入された乗車券に磁気記録されている磁気情報（例えば、区数等）を読取り、この読取った情報に基づいて利用者の通過の許可あるいは阻止を決定するものである。
このような磁気式乗車券を用いた自動改札システムが普及している。
【０００４】
【発明が解決しようとする課題】
このような自動改札システムで、切符の区間外の駅で自動改札装置から出場しようとした場合には、自動改札機のプラズムディスプレイに簡単なメッセ−ジ（例えば、『区間外です』）が表示されている。
【０００５】
しかし、利用者が切符をとると、プラズマディスプレイに表示されていたメッセ−ジは消えてしまうため、駅員が現場にきたときは、切符しか残っていないため、駅員はエラ−の発生原因が何であるのか判断できないため、対応に困るという問題があった。
【０００６】
また、このような自動改札装置のエラ−は単に切符に起因するエラ−だけでなく、自動改札機内部のエラ−がある。つまり、切符の磁気情報を読み取る磁気ヘッドの読取りエラ−等が挙げられる。この場合にも、プラズマディスプレイにはその旨が表示されるが、前述したケ−スと同様に、切符をとるとそのメッセ−ジは消えてしまうため、駅員はエラ−の発生原因が何であるのか判断できないという問題があった。
【０００７】
本発明は上記の点に鑑みてなされたもので、その目的は自動改札機にエラ−が発生した場合には、その旨を券面とは異なる色で券面上に印刷するようにした自動改札装置を提供することにある。
【０００８】
【課題を解決するための手段】
請求項１に記載の自動改札装置は、異なった温度領域で異なった色で発色する発色層を積層されるように構成された乗車券に記録された予め券面に印刷されている印字色に関する情報を含む磁気情報を読取る読取り手段と、この読取り手段により読取られた磁気情報より乗車券が有効かを判定する判定手段と、この判定手段により乗車券が有効であると判定された場合には、改札処理を行なう処理手段と、上記判定手段により乗車券が無効であると判定された場合には、上記読取り手段で読取った磁気情報の印字色に関する情報をもとに上記乗車券に予め券面に印刷されている印刷色とは異なった色で乗車券が無効であることを示すエラー内容を印刷する印刷制御手段とを具備したことを特徴とする。
【０００９】
請求項２に記載の自動改札装置は、異なった温度領域で異なった色で発色する発色層を積層されるように構成された乗車券に記録された予め券面に印刷されている印字色に関する情報を含む磁気情報を読取る読取り手段と、この読取り手段により読取られた磁気情報より乗車券が有効かを判定する第１の判定手段と、上記読取り手段による磁気情報の読取りが正常に行なわれたかを判定する第２の判定手段と、上記第１の判定手段により乗車券が有効であると判定された場合には、改札処理を行なう処理手段と、上記第２の判定手段により磁気情報の読取りが正常に行なわれていないと判定された場合には、上記乗車券に予め券面に印刷されている印刷色とは異なった色で磁気情報の読取りが不良であることを示すエラー内容を印刷する印刷制御手段とを具備したことを特徴とする。
【００１０】
請求項３に記載の自動改札装置は、異なった温度領域で異なった色で発色する発色層を積層されるように構成された乗車券に記録された予め券面に印刷されている印字色に関する情報を含む磁気情報を読取る読取り手段と、この読取り手段により読取られた磁気情報より乗車券が有効かを判定する第１の判定手段と、上記読取り手段による磁気情報の読取りが正常に行なわれたかを判定する第２の判定手段と、上記第１の判定手段により乗車券が有効であると判定された場合には、改札処理を行なう処理手段と、上記第１の判定手段により乗車券が無効であると判定された場合には、上記読取り手段で読取った磁気情報の印字色に関する情報をもとに上記乗車券に券面の印刷色とは異なった色で乗車券が無効であることを示すエラー内容を印刷し、第２の判定手段により磁気情報の読取りが正常に行なわれていないと判定された場合には、上記乗車券に予め券面に印刷された印刷色とは異なった色で磁気情報の読取りが不良であることを示すエラーコードを印刷する印刷制御手段とを具備したことを特徴とする。
【００１１】
請求項４に記載の自動改札装置は、請求項１乃至請求項３の上記印刷制御手段は、サーマルヘッドに印刷する印字パルスの幅を制御することにより、上記乗車券の特定の発色層を発色させるように制御していることを特徴とする。
【００１２】
【作用】
請求項１において、自動改札装置において、投入された乗車券が無効（例えば、区間外）であると判定された場合には、その乗車券に券面の印刷色とは異なった色でエラ−内容を印刷するようにしている。
【００１３】
請求項２において、自動改札装置において、投入された乗車券が無効（例えば、区間外）であると判定された場合あるいは磁気情報の読取りが正常に行なわれていないと判定された場合には、乗車券に券面の印刷色とは異なった色でそのエラ−内容を印刷するようにしている。
【００１４】
請求項３において、自動改札装置において、投入された乗車券が無効であると判定された場合には、乗車券に券面の印刷色とは異なった色でそのエラ−内容を印刷し、磁気情報の読取りが正常に行なわれていないと判定された場合には、上記乗車券に券面の印刷色とは異なった色でそのエラ−コ−ドを印刷するようにしている。
【００１５】
請求項４に係わる自動改札装置の乗車券は、その表面に異なった温度領域で異なった色で発色する発色層を多層に積層されるように構成され、上記印刷制御手段は、サ−マルヘッドに印加する印字パルスの幅を制御することにより、特定の発色層を発色させるように制御していることを特徴とする。
【００１６】
【実施例】
以下図面を参照して本発明の一実施例に係わる自動改札装置について説明する。図１はこの発明の自動改札装置の外観構成を概略的に示すものである。すなわち、出場業務を行う自動改札装置の本体１によって構成されている。この本体１には、駅の改札口内つまり構内からの出場時に、乗車券（あるいは定期券、回数券、ストアードフェアカード等）２が投入される投入口３、この投入口３で受入れた乗車券２を排出する排出口４がそれぞれ設けられている。
【００１７】
自動改札装置の本体１の上面部には、操作案内が表示される表示部５、上記投入口３の近傍に設けられている。
自動改札装置の本体１の側面部には、閉じることにより乗車券２の投入者の通過を阻止する等の利用者の通行を阻止するためのドア部９が設けられ、自動改札装置の本体１の側面部と上部には、自動改札装置の本体１に対応する通路を区別させるための仕切りになるとともに、利用者の通過を検知する人間検知器１０、…が設けられている。
【００１８】
上記人間検知器１０、…は、利用者の通過を検知するものであり、検知器としては透過型、反射型などが用いられるようになっている。但し、透過型の場合、対抗する別の本体に設けられた発光部からの光が導かれるようになっている。
【００１９】
前述した投入口３と排出口４間における本体１内には搬送路が形成されており、この搬送路に沿って、整列部（図示しない）、後述する磁気情報読取部（磁気ヘッド；読取ヘッド）１４、１５、磁気情報記録部（磁気ヘッド；書込ヘッド）１６、１７、および磁気情報読取部（磁気ヘッド；読取ヘッド）１８、１９、サ−マルヘッド２０が順に設けられている。
【００２０】
次に、図２を参照して自動改札装置の制御系統について説明する。自動改札装置の制御系統は、自動改札装置全体を制御するセントラル・プロセッシング・ユニット（以下、ＣＰＵと略記する）３０、ＣＰＵ３０の制御プログラムを記憶しているリード・オンリー・メモリ３１（以下、ＲＯＭと略記する）、乗車券２から読取った情報の記憶および制御プログラムのバッファとして情報を記憶するランダム・アクセス・メモリ３２（以下、ＲＡＭと略記する）、当日券やプリペイドカードによる利用時に用いられ、当日券やプリペイドカードの使用が開始された入場駅（あるいは入場駅に対応した入場駅コード）に対応した運賃情報を記憶している運賃メモリ３３、読取ヘッド１４、１５を制御する読取回路３４、書込ヘッド１６、１７を制御する書込回路３５、読取ヘッド１８、１９を制御する読取回路３６、検知器１２、１３、２３、２４の出力により乗車券２の搬送状態を検知する乗車券検知回路５９、乗車券２を搬送路１１に沿って搬送させる搬送用モータ４０を制御する搬送制御回路４１、上記人間検知器１０、…の出力により乗車券２の投入者の通過を検知する通過検知回路４２、ドア部９を駆動するドア開閉機構４３を制御するドア制御回路４４、自動改札装置１を制御する図示しない制御盤あるいはホストコンピュータ等との間で情報の伝達を行う伝達制御回路４５、上記表示部５、乗車券２に印刷を行なうサ−マルヘッド２０上への印字を制御する印字制御回路２１等から構成されている。
【００２１】
ところで、乗車券２は２色発色することができるように図４に示すように発色層を２つ備えている。図４は乗車券２の断面を示すもので、５１は紙、５２は紙５１の裏面に設けられた磁気記録層、５３は紙５１の表面に積層された赤色を発色する赤色発色層、５４はこの赤色発色層５３の表面に積層された黒色発色層である。そして、赤色発色層５３及び黒色発色層５４は図５に示すようにそれぞれ異なる温度領域で発色する。つまり、赤色発色層５３は黒色発色層５４より低い温度で発色する。
【００２２】
印刷制御回路２１はＣＰＵ３０から出力される印字制御信号に応じて、黒色発色層５４を発色させる場合には、赤色発色層５３を発色させる場合よりパルス幅の長いパルスをサ−マルヘッド２０に出力する。つまり、黒色発色層５４を発色させる黒印字パルスは図６（Ａ）に示すようにパルス幅Ｗ１を有し、赤色発色層５３を発色させる場合には、図６（Ｂ）に示すようにパルス幅Ｗ２を有している。ここで、Ｗ２＜Ｗ１である。
【００２３】
次に、上記のように構成された本発明の一実施例の動作について説明する。まず、利用者により乗車券２が投入口３に投入されると（ステップＳ１）、検知器１２からの検知信号がＣＰＵ３０に出力される。これにより、ＣＰＵ３０は乗車券２の投入を判断し、搬送ベルト（図示しない）、搬送ロ−ラ２０、…などを搬送する搬送モ−タ４０を駆動する。これにより、乗車券２は投入口３から取込まれ搬送路（図示しない）上を搬送される。
【００２４】
そして、投入口３から取込まれ搬送された乗車券２は、整位部（図示しない）で整位された後、読取ヘッド１４，１５に到達する。この際、乗車券２の裏面つまり磁気記録層５２が下側となっている場合、読取ヘッド１４によりエンコ−ドされている磁気記録内容が読み取られ、ＣＰＵ３０に出力される（ステップＳ２）。また、乗車券２の裏側つまり磁気記録層５１が上側となっている場合、読取ヘッド１５によりエンコ−ドされている磁気記録内容（入場駅情報、有効区数、予め券面に印刷されている色）が読取られ、ＣＰＵ３０に出力される（ステップＳ２）。
【００２５】
そして、ＣＰＵ３０はそのエンコ−ドされている磁気記録内容の読取りが不良であるかを判定する（ステップＳ３）。
このステップＳ３の判定で「ＮＯ」、つまり読取りが正常であると判定されると、読取ヘッド１４あるいは１５からの読取内容、つまり入場駅情報、有効区数と、上記入場駅からこの自動改札装置の設置駅まで区数とが比較され、その乗車券の区数が足りていて出場が可能であるかどうかを判定する（ステップＳ４）。
【００２６】
この判定結果により出場が可能であると判定された場合に、ドア部９が開けられ、乗車券２は集札部（図示しない）に集札される（ステップＳ５）。これにより、利用者は出場することができる。
【００２７】
一方、前述したステップＳ３の判定において「ＹＥＳ」と判定された場合には、表示部５に『読取り不良』であることが表示され（ステップＳ６）、図８に示すようにエラ−コ−ド“０１”がステップＳ２に読み取られた予め券面に印刷されている印字色（黒）とは異なる色（赤）で領域５１に印刷される。
【００２８】
この領域５１への印刷は印刷制御回路２１からサ−マルヘッド２０に出力される印字パルスを図６（Ｂ）に示すように、赤印字パルスとすることにより、図４の赤色発色層５３を発色させ、領域５１に読取りエラ−コ−ド“０１”を赤色で印刷することができる（ステップＳ７）。そして、ドアを閉じたまま、乗車券２を排出口４から排出させる（ステップＳ８）。
【００２９】
このようにして、排出口４から排出された乗車券２は図８に示すように、領域５１に、券面の印字色（黒）とは異なる色（赤）でエラ−コ−ドを印刷するようにしたので、駅員はその乗車券２を見て、どんなエラ−が発生したかを確認することができ、適切な対応をとることができる。
【００３０】
一方、前述したステップＳ４で「ＮＯ」と判定された場合、つまり乗車券２が区間外であると判定された場合には、表示部５に『区間外』である旨の表示がされ（ステップＳ６）、図７に示すように『区間外』という印刷が券面の印字色（黒）とは異なる色（赤）で乗車券２の端部５２に印刷される。
【００３１】
この領域５１への印刷は印刷制御回路２１からサ−マルヘッド２０に出力される印字パルスを図６（Ｂ）に示すように、赤印字パルスとすることにより、図４の赤色発色層５３を発色させ、乗車券２の端部５２に『区間外』と赤色で印刷することができる（ステップＳ７）。そして、ドアを閉じたまま、乗車券２を排出口４から排出させる（ステップＳ８）。
【００３２】
このようにして、排出口４から排出された乗車券２は図７に示すように、端部５２に、券面の印字色（黒）とは異なる色（赤）でエラ−コ−ドを印刷するようにしたので、駅員はその乗車券２を見て、どんなエラ−が発生したかを確認することができ、適切な対応をとることができる。
【００３３】
なお、上記ステップＳ４の判定で乗車券が異常な券であるかを判定し、異常な券であると判定された場合には、領域５３あるいは５４にその旨を赤色で印刷するようにしても良い。
【００３４】
【発明の効果】
以上詳述したように本発明によれば、自動改札機にエラ−が発生した場合には、その旨を券面とは異なる色で券面上に印刷するようにしたので、駅員は乗車券を見て、どんなエラ−が発生したかを確認とることができ、適切な対応をとることができる自動改札装置を提供することができる。
【図面の簡単な説明】
【図１】本発明の一実施例に係わる自動改札装置の斜視図。
【図２】同実施例の自動改札装置の制御系統を示すブロック図。
【図３】同実施例の制御内容を示すフロ−チャ−ト。
【図４】同実施例の乗車券の断面図。
【図５】同実施例の乗車券の発色層の温度と反射濃度との関係を示す図。
【図６】同実施例のサ−マルヘッドに印加される印字パルスの波形を示す図。
【図７】同実施例の乗車券へのエラ−印刷例を示す図。
【図８】同実施例の乗車券へのエラ−印刷例を示す図。
【符号の説明】
１…本体、２…乗車券、３…投入口、４…排出口、５…表示部、９…ドア部、１０…人間検知器、１４，１５…磁気情報読取部、１６，１７…磁気情報記録部、１８，１９…磁気情報読取部、２０…サ−マルヘッド、２１…印刷制御回路、３０…ＣＰＵ、３１…ＲＯＭ、３２…ＲＡＭ、３３…運賃メモリ。
【図１】
0003585955.tif 000002
【図２】
0003585955.tif 000003
【図３】
0003585955.tif 000004
【図４】
0003585955.tif 000005
【図５】
0003585955.tif 000006
【図６】
0003585955.tif 000007
【図７】
0003585955.tif 000008
【図８】
0003585955.tif 000009